(57)【特許請求の範囲】
【請求項１】
データを書き換え可能に格納するメモリを具備したＩＣチップと、該ＩＣチップに接続されたアンテナとを備え、前記データを所定の入出力装置と非接触で送受信する機能を備えたＲＦＩＤタグを書籍類に着脱可能に取付けるためのホルダーであって、
ＲＦＩＤタグが保持され、かつ書籍類内に抜き差し可能に挿入される挿入片部と、
該挿入片部の上端に側方突成され、該挿入片部が書籍類内へ没入することを防止する没入防止片部とを備え、
さらに挿入片部と没入防止片部とが、ＩＣチップとアンテナとを支持する支持シートと、その上部を被覆する保護シートとによって構成されているＲＦＩＤタグの外装体により、一体形成してなることを特徴とするＲＦＩＤタグの書籍類用取付けホルダー。
【請求項２】
データを書き換え可能に格納するメモリを具備したＩＣチップと、該ＩＣチップに接続されたアンテナとを備え、前記データを所定の入出力装置と非接触で送受信する機能を備えたＲＦＩＤタグを書籍類に着脱可能に取付けるためのホルダーであって、
ＲＦＩＤタグが保持され、かつ書籍類内に抜き差し可能に挿入される挿入片部と、
該挿入片部の上端に側方突成され、該挿入片部が書籍類内へ没入することを防止する没入防止片部とを備え、
さらに一体形成した挿入片部と没入防止片部からなる二つの片を、表裏一対にして積層し、支持シート上にＩＣチップとアンテナとを配設して上部を保護シートで被覆したＲＦＩＤタグを、表裏の挿入片部間に介装させて保持してなることを特徴とするＲＦＩＤタグの書籍類用取付けホルダー。
【請求項３】
没入防止片部が、挿入片部との間に下方開口する溝部を備えた鉤状に形成されていることを特徴とする請求項１に記載したＲＦＩＤタグの書籍類用取付けホルダー。
【発明の詳細な説明】
【技術分野】
【０００１】
本発明は、ＲＦＩＤタグを書籍類に取付けるために使用するＲＦＩＤタグの書籍類用取付けホルダーに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能がある。このＲＦＩＤタグは、入出力装置側のアンテナが放射する有効電磁波ゾーンに進入すると、ＲＦＩＤタグのアンテナが誘導起電力を生成し、該電力により動作状態となって入出力装置からのコマンド，データ等の信号を検出するとともに、そのコマンド信号に従ってデータの読み書きが可能なＩＣチップのメモリに受信データを格納したり、メモリに格納されているデータを入出力装置に送信するものであり、バーコードに比してデータの書き換えが可能，データ容量が大きい等の特長を有するため、近年、交通・レジャー分野，物流分野，セキュリティー分野，工場生産分野，環境分野，その他の幅広い分野で導入が進められている。
【０００３】
従来、このようなＲＦＩＤタグに書籍名や出版社名等の所要データを記憶させて書籍の管理に用いる場合、ＲＦＩＤタグを書籍の表紙や奥付け部分等に接着剤で貼付したり、埋設したりすることによって固定的に取付けていた（例えば、特許文献１参照）。
【先行技術文献】
【特許文献】
【０００４】
【特許文献１】特開２００４−１１８６００（段落 [００１５] 、図１、図３）
【発明の概要】
【発明が解決しようとする課題】
【０００５】
ところで、上記のようにＲＦＩＤタグを書籍に対して固定的に取付けてしまうと、書籍の販売時に取り外すことができないため、ＲＦＩＤタグを再使用することができないという問題点があった。
【０００６】
本発明は、かかる問題点を解決するためになされたものであり、必要に応じて書籍類から簡単に取り外すことができるＲＦＩＤタグの書籍類用取付けホルダーを提供することを目的とするものである。
【課題を解決するための手段】
【０００７】
本発明は、データを書き換え可能に格納するメモリを具備したＩＣチップと、該ＩＣチップに接続されたアンテナとを備え、前記データを所定の入出力装置と非接触で送受信する機能を備えたＲＦＩＤタグを書籍類に着脱可能に取付けるためのホルダーであって、ＲＦＩＤタグが保持され、かつ書籍類内に抜き差し可能に挿入される挿入片部と、該挿入片部の上端に側方突成され、該挿入片部が書籍類内へ没入することを防止する没入防止片部とを備えてなることを特徴とするＲＦＩＤタグの書籍類用取付けホルダーである。
【０００８】
ここで、本発明でいう書籍類とは、むき出しの書籍や雑誌以外に、表表紙から背表紙を経て裏表紙を被覆し、その両端部が表表紙と背表紙の内側に折り込まれた表紙カバーを備えた書籍や、収納ケースに収納された記録済みＣＤ，ＤＶＤ，ブルーレイディスク等の光メディア、或いは包装箱に収納されたゲームソフト等の各種アプリケーションが記録されたメモリーカード等の記録メディア等からなる著作物を総称する概念である。また、ＲＦＩＤタグは、ＩＣチップとアンテナとを合成樹脂シート上に担持して構成したり、ＩＣチップとアンテナとを合成樹脂の支持シート上に配設し、これを合成樹脂の保護シートで被覆して構成され得る。そして、この支持シートと保護シートとにより外装体が構成される。
【０００９】
前記ＲＦＩＤタグの書籍類用取付けホルダーにあって、没入防止片部が、挿入片部との間に下方開口する溝部を備えた鉤状に形成されている構成が提案される。
【００１０】
また、挿入片部と没入防止片部とが、ＲＦＩＤタグの外装体により一体形成されている構成が提案される。
【発明の効果】
【００１１】
本発明は、上述したように、ＲＦＩＤタグが保持され、かつ書籍類内に抜き差し可能に挿入される挿入片部と、該挿入片部の上端に側方突成され、該挿入片部が書籍類内へ没入することを防止する没入防止片部とを備えてなるＲＦＩＤタグの書籍類用取付けホルダーであるから、ＲＦＩＤタグが保持された挿入片部を書籍類内に挿入することにより、ＲＦＩＤタグを書籍類に簡単に取付けることができる一方、挿入片部を書籍類内から抜き取ることにより、ＲＦＩＤタグを書籍類から簡単に取り外すことができる。これにより、書籍類の販売時にＲＦＩＤタグを書籍類から取り外し、所要データを更改すれば、該ＲＦＩＤタグを新たな書籍類に取付けて再度使用することができる。また、従来のように接着剤を用いることなく、書籍類内への挿入片部の挿入によってＲＦＩＤタグを書籍類に取付け得るので、ＲＦＩＤタグの取り外しに際して書籍類を損傷させることがなく、しかもその取付け、取り外しを極めて容易に行うことができる。また、挿入片部の上端に設けられている没入防止片部が、書籍類の背表紙の上端や表紙カバーの上端に上方から当接することにより、挿入片部が書籍類内へ没入することがなく、挿入片部の抜き取り時には該没入防止片部を摘み部として、挿入片部の抜き取りを容易に行うことができる。
【００１２】
前記ＲＦＩＤタグの書籍類用取付けホルダーにあって、没入防止片部が、挿入片部との間に下方開口する溝部を備えた鉤状に形成されている構成にあっては、挿入片部を書籍類内や書籍の表紙と表紙カバー間内に挿入させた状態で、鉤状の没入防止片部を書籍類の上端や表紙カバーの上端に係合させることにより、挿入片部の書籍類内への没入をさらに確実に防止することができる。
【００１３】
また、挿入片部と没入防止片部とが、ＲＦＩＤタグの外装体により一体形成されている構成にあっては、製作時における部品点数が少なく、挿入片部にＲＦＩＤタグを保持させる作業工程も不要であるため、製造コストを低減させることができる。
【図面の簡単な説明】
【００１４】
【図１】（Ａ）は第一実施例にかかるＲＦＩＤタグの書籍類用取付けホルダー１Ａの正面図、（Ｂ）はその側面図である。
【図２】（Ａ）はＲＦＩＤタグ４の一部切欠平面図、（Ｂ）は該ＲＦＩＤタグ４の縦断面図である。
【図３】（Ａ）はＲＦＩＤタグの書籍類用取付けホルダー１Ａを書籍９の頁紙１０間に挿入した状態を示す外観斜視図、（Ｂ）はＲＦＩＤタグの書籍類用取付けホルダー１Ａを書籍９の表紙１１ａと表紙カバー９ａ間に挿入した状態を示す外観斜視図である。
【図４】（Ａ）は第二実施例にかかるＲＦＩＤタグの書籍類用取付けホルダー１Ｂの正面図、（Ｂ）は書籍９に取付けた状態を示す外観斜視図である。
【図５】（Ａ）は第三実施例にかかるＲＦＩＤタグの書籍類用取付けホルダー１Ｃの一部切欠正面図、（Ｂ）は変形実施例にかかるＲＦＩＤタグの書籍類用取付けホルダー１Ａの一部切欠正面図である。
【発明を実施するための形態】
【００１５】
以下に、本発明の第一実施例を、図１〜図３に基づいて説明する。
第一実施例にかかるＲＦＩＤタグの書籍類用取付けホルダー１Ａは、図１に示すように、上下方向に長尺な帯板状に形成された挿入片部２と、該挿入片部２の上端に側方突成された没入防止片部３とを備えている。該挿入片部２と没入防止片部３は、合成樹脂の基材によって一体形成されており、挿入片部２の一面にＲＦＩＤタグ４が接着剤を用いて貼着することにより保持されている。前記挿入片部２及び没入防止片部３の基材としては、ポリエチレンテレフタレート（ＰＥＴ），ポリプロピレン（ＰＰ），ポリアセタール（ＰＯＭ），ポリカーボネート（ＰＣ），ポリブチレンテレフタレート（ＰＢＴ），ポリフェニレンサルファイド（ＰＰＳ）等が適用され、これらの中でも硬質で引張り強さ，曲げ強さ，圧縮強さに優れ、かつ適宜の弾性を備えたポリエチレンテレフタレート（ＰＥＴ）やポリプロピレン（ＰＰ）が好適に用いられ得る。また、これらの基材は、厚み１８０〜２５０μｍのものが好適に用いられ得る。
【００１６】
前記ＲＦＩＤタグ４は、図２に示すように、合成樹脂製の支持シート５上にＩＣチップ６と、該ＩＣチップ６に接続されたアンテナ７とが配設され、その上部が合成樹脂製の保護シート８で被覆されている。このＲＦＩＤタグ４は厚み２５０μｍ程度に形成されている。また、前記支持シート５と保護シート８とによってＲＦＩＤタグ４の外装体が構成されている。このＲＦＩＤタグ４は、図示しない入出力装置（リーダ・ライタ）との間で電磁波を利用してコマンド，データ等の信号を非接触で送受信し得る非接触型の電池レスタイプとなっており、前記ＩＣチップ６が具備するメモリ（図示省略）には、入出力装置との交信により、書籍類の識別コード，書籍類名，出版社名または製作社名，発行日，著者名または著作権者名，販売価格等の所要データが書き換え可能に格納される。尚、ＲＦＩＤタグ４は、ＨＦ帯域（例えば13.56MHz），ＵＨＦ帯域（例えば953MHzや2.45GHz）等の何れの帯域で作動するものであってもよい。
【００１７】
次に、ＲＦＩＤタグの書籍類用取付けホルダー１Ａの使用態様について説明する。図３は、書籍類の一つとしての書籍９にＲＦＩＤタグ４を取付ける場合の取付け例を示すものであって、図３（Ａ）に示すように、ＲＦＩＤタグ４が保持された挿入片部２を書籍９の頁紙１０間に挿入したり、図３（Ｂ）に示すように、書籍９の表紙１１ａと表紙カバー９ａ間内に挿入することにより、ＲＦＩＤタグ４を書籍９に簡単に取付けることができる。この時、挿入片部２の上端に側方突成されている没入防止片部３を書籍９の上部に突出させて背表紙１１ｂの上端や表紙カバー９ａの上端に上方から当接させるか、または当接可能な状態にしておくことにより、万が一、頁紙１０間による挟持力や表紙１１ａと表紙カバー９ａとによる挟持力が緩んだり、外力が作用して挿入片部２が頁紙１０間内または表紙１１ａと表紙カバー９ａ間内に没入しそうになっても、前記没入防止片部３と書籍９の背表紙１１ｂの上端または表紙カバー９ａの上端との当接によって挿入片部２の没入を防止することができる。
【００１８】
一方、書籍９の販売時には、挿入片部２を書籍９から抜き取ることにより、ＲＦＩＤタグ４を書籍９から簡単に取り外すことができる。そして、このように書籍９から取り外したＲＦＩＤタグ４を、新たな書籍９に取付けるとともにメモリ内の所要データを当該書籍９に関するものに書き換えることにより、再度使用することができる。
【００１９】
また、従来のように接着剤を用いることなく、書籍９内への挿入片部２の挿入によってＲＦＩＤタグ４を書籍９に取付け得るので、ＲＦＩＤタグ４の取り外しに際して書籍９を損傷させることがなく、しかもその取付け、取り外しを極めて容易に行うことができる。また、挿入片部２の抜き取り時には、挿入片部２の上端に設けられた没入防止片部３を摘み部とすることにより、挿入片部２の抜き取りを容易に行うことができる。
【００２０】
尚、図３（Ａ），（Ｂ）には、挿入片部２を書籍９の頁紙１０間や表紙１１ａと表紙カバー９ａ間内に挿入した例を示したが、これ以外に背表紙１１ｂの裏側に間隙が生じるように製本された書籍９にあっては、該間隙内に挿入片部２を挿入することにより、ＲＦＩＤタグ４を書籍９に着脱可能に取付けることが可能である。また、書籍９以外の書籍類にあっても、記録済みＣＤ，ＤＶＤ，ブルーレイディスク等の光メディアを収納する収納ケースや、ゲームソフト等の各種アプリケーションが記録されたメモリーカード等の記録メディアを収納する包装箱を備えたものにあっては、これらの収納ケースや包装箱の筐体部と蓋部との間に生じている間隙内や、収納ケースとその表面に配設されているフィルムバインダーとの間に挿入片部２を挿入することにより、ＲＦＩＤタグ４を着脱可能に取付けることができる。
【００２１】
図４は、本発明の第二実施例を示し、この第二実施例にかかるＲＦＩＤタグの書籍類用取付けホルダー１Ｂは、図４（Ａ）に示すように、没入防止片部３が、挿入片部２との間に下方開口する溝部１２を備えた鉤状に形成されており、図４（Ｂ）に示すように、この鉤状の没入防止片部３が書籍９の背表紙１１ｂの上端や表紙カバー９ａ（図３（Ｂ）参照）の上端に係合可能となっている。その他、第一実施例と共通する構成部分については、第一実施例と同一の符号を付して重複説明を省略する。
【００２２】
かかる構成にあっては、挿入片部２を書籍９の頁紙１０（図４（Ｂ）参照）間内や表紙１１ａと表紙カバー９ａ（図３（Ｂ）参照）間内に挿入させた状態で、鉤状の没入防止片部３を書籍９の背表紙１１ｂの上端や表紙カバー９ａの上端に係合させることにより、挿入片部２の書籍９内への没入をさらに確実に防止することができる。
【００２３】
図５（Ａ）は、本発明の第三実施例を示し、この第三実施例にかかるＲＦＩＤタグの書籍類用取付けホルダー１Ｃは、挿入片部２と没入防止片部３とが、ＲＦＩＤタグ４の外装体によって一体形成されている。即ち、上述したように、ＲＦＩＤタグ４の外装体は、ＩＣチップ６とアンテナ７とを支持する合成樹脂製の支持シート５と、その上部を被覆する合成樹脂製の保護シート８とによって構成されているが、この支持シート５と保護シート８とによって挿入片部２と没入防止片部３とを一体形成したものである。
【００２４】
かかる構成にあっては、製作時における部品点数が少なくて済み、挿入片部２にＲＦＩＤタグ４を保持させる作業工程も不要であるため、製造コストを低減させることができる。
【００２５】
尚、第一実施例及び第二実施例では、ＲＦＩＤタグ４を挿入片部２の一面に貼着することにより保持するようにしているが、これに代えて、図５（Ｂ）に示す変形実施例のように、一体形成した挿入片部２と没入防止片部３を表裏一対にして積層し、支持シート５上にＩＣチップ６とアンテナ７とを配設して上部を保護シート８で被覆したＲＦＩＤタグ４を、両挿入片部２，２間に介装させて保持することも可能である。また、この場合、表面側または裏面側の没入防止片部３を除去して挿入片部２のみとしてもよい。
【産業上の利用可能性】
【００２６】
本発明にかかるＲＦＩＤタグの書籍類用取付けホルダー１Ａ，１Ｂ，１Ｃは、書籍９に対する着脱が容易であるため、一般的な開架式の書店で使用すると消費者によって持ち去られたり、異なる書籍類間で差し替えられたりするいたずらを受ける可能性がある。従って、その運用態様としては、インターネットショップの書庫や図書館の閉架における書籍類管理に有効である。例えば、インターネットショップでは、インターネットを通じて購入注文を受けると、その書籍類を書庫内で探し出して配送しているのであるが、書籍類用取付けホルダー１Ａ，１Ｂ，１ＣによってＲＦＩＤタグ４を書籍類に取付けておけば、書庫内での書籍類の探し出し作業が容易にでき、同時に在庫管理も可能となる。また、本発明にかかるＲＦＩＤタグの書籍類用取付けホルダー１Ａ，１Ｂ，１Ｃを用いることにより、高価な古本も傷を付けることなく管理可能であり、書籍類の価値を損なうことがない。
【符号の説明】
【００２７】
１Ａ〜１Ｃ  書籍類用取付けホルダー
２  挿入片部
３  没入防止片部
４  ＲＦＩＤタグ
５  支持シート（外装体）
６  ＩＣチップ
７  アンテナ
８  保護シート（外装体）
９  書籍
９ａ  表紙カバー
１０  頁紙
１１ｂ  背表紙
１２  溝部
【図１】
0005537077.tif 000002
【図２】
0005537077.tif 000003
【図３】
0005537077.tif 000004
【図４】
0005537077.tif 000005
【図５】
0005537077.tif 000006